(57)【要約】【課題】画面（タッチパネル）を掃除する際は、タッチパネルの入力を無効とし、画面の背景色を黒色系の色とすることで、汚れを目立たせ、利用者が掃除しやすいようにする。【解決手段】表示手段２に設けたタッチパネル３と、このタッチパネル３からの入力位置情報と入力位置における表示手段２の表示内容から入力内容を検出する入力情報制御手段５と、入力情報制御手段５からの情報、設定情報などを演算処理する制御手段４を備えている。これによって、所定の入力があったときには、所定の時間タッチパネルの入力を無効にして掃除中の誤入力を防止するとともに、また画面の背景色を黒色系の色にすることによって画面の汚れや指紋のあとなどが、利用者にはっきりと分かるようにすることができる。【選択図】  図４
2004355078.tif 000002
【特許請求の範囲】
【請求項１】
表示手段と、前記表示手段に設けたタッチパネルと、前記タッチパネルからの入力位置情報と前記入力位置における前記表示手段の表示内容から入力内容を検出する入力情報制御手段と、前記入力情報制御手段からの設定情報などを演算処理する制御手段を備え、所定の入力があったときには、所定の時間タッチパネルの入力を無効とし、前記表示手段の画面の背景色を黒色系にする情報端末機器。
【請求項２】
タッチパネルの入力を無効とすることを表示手段で案内する操作無効情報表示部と、入力情報制御手段が、前記操作無効情報表示部に位置するタッチパネルからの入力を検出したときから所定時間をカウントするタイマーとを備え、前記タイマーによる前記所定時間をカウント中は前記入力情報制御手段の入力検出を無効とする請求項１に記載の情報端末機器。
【請求項３】
表示制御手段は、タイマーによる所定時間カウント中は、タッチパネル上による入力が無効であるメッセージを表示する請求項１または２記載の情報端末機器。
【請求項４】
表示制御手段は、タイマーによる所定時間カウント中は、経過時間または経過時間のイメージ情報を表示する請求項３記載の情報端末機器。
【請求項５】
表示手段はバックライト装置を備え、前記バックライト装置に供給する電流をオフする電源切替え手段を備え、タイマーによる所定時間をカウント中は、タッチパネルの入力を無効とし、前記バックライト装置の電源をオフする請求項２記載の情報端末機器。
【請求項６】
設定情報を記憶する記憶手段を有し、前記記憶手段は、入力検出を無効とする所定時間カウント値を記憶しており、利用者が、予め設定されている前記所定時間カウント値を設定変更可能である請求項１〜５のいずれか１項に記載の情報端末機器。
【請求項７】
請求項１〜６のいずれか１項に記載の情報端末機器を給湯器の操作装置に適用した給湯器遠隔操作装置。
【発明の詳細な説明】
【０００１】
【発明の属する技術分野】
本発明は、入力手段としてタッチパネルを備えた情報端末機器または給湯器遠隔操作装置に関するものである。
【０００２】
【従来の技術】
従来、情報出力装置としてのディスプレイに、情報入力装置としての機能を加えたタッチパネル式ディスプレイが知られている。これらの装置は、キーボードやマウスやボタンなどの入力装置を用いなくても、直接画面上のボタンイメージに触れることで入力できるので、利用者にとって操作がしやすいという利点がある。しかし、タッチパネル式ディスプレイは、人間の指で直接入力するものが多く、指紋などにより非常に汚れやすい。また、ディスプレイ上についた汚れを掃除する場合は、一旦電源を遮断してから作業しなければ掃除の行為が入力情報として処理されてしまうという課題があった。
【０００３】
このようなタッチパネルを備えた情報端末機器において、接触による誤動作を防ぐためには、例えばタッチパネルの入力可／不可を切替えられるスイッチを設け、タッチパネルによる入力作業を行うとき以外は、このスイッチによりタッチパネルの入力を禁止しておくという構成になっている（例えば特許文献１参照）。
【０００４】
【特許文献１】
特開２０００−１９４５０４号公報
【０００５】
【発明が解決しようとする課題】
しかしながら、これら従来の情報端末機器において、タッチパネルの入力操作は禁止としても、特に画面表示がカラーである場合では、画面上に表示している情報はそのままであると、画面上の汚れが目立ちにくいので、きれいに掃除できないという課題があった。
【０００６】
本発明は、上記の課題を解決し、タッチパネルを掃除する際に、画面上の背景色を黒色などにしたり、バックライトの電源をオフするなどしたりして、画面上の汚れを目立ちやすくし、利用者の掃除の作業性を向上させることを目的としている。
【０００７】
【課題を解決するための手段】
前記従来の課題を解決するために、表示手段と、前記表示手段上に設けたタッチパネルと、前記タッチパネルからの入力位置情報と前記入力位置における前記表示手段の表示内容から入力内容を検出する入力情報制御手段と、前記入力情報制御手段からの情報、設定情報などを演算処理する制御手段を有し、所定の入力があったときには、所定の時間タッチパネルの入力を無効とし、前記表示手段の画面の背景色を黒色にすることを特徴とする情報端末機器である。
【０００８】
これによって、所定の入力があってから所定時間タッチパネルの入力が無効となると共に、画面の背景色を黒色系の色とすることで画面上の汚れを目立ちやすくし、利用者の掃除の作業性を向上させることができる。
【０００９】
【発明の実施の形態】
本発明の実施の形態は、表示手段と、前記表示手段上に設けたタッチパネルと、前記タッチパネルからの入力位置情報と前記入力位置における前記表示手段の表示内容から入力内容を検出する入力情報制御手段と、前記入力情報制御手段からの情報、設定情報などを演算処理する制御手段を有し、所定の入力があったときには、所定の時間タッチパネルの入力を無効とし、前記表示手段の画面の背景色を黒色系にすることを特徴とする情報端末機器であり、上記構成によってタッチパネルを掃除する際に、画面上の背景色を黒色系の色にすることにより画面上の指紋などの汚れが目立ちやすくなり、利用者の掃除の作業性を向上させることができる。
【００１０】
また、上記発明に加えて、タッチパネルの入力を無効とすることを前記表示手段上で案内する操作無効情報表示部と、入力情報制御手段が、前記操作無効情報表示部に位置するタッチパネルからの入力を検出したときから所定時間をカウントするタイマーとを有し、前記タイマーによる前記所定時間カウント中は前記入力情報制御手段の入力検出を無効とすることを特徴とするものであり、上記構成によって入力検出手段は、表示手段上に設けたタッチパネルによる入力位置とこの位置に対応した表示手段の表示内容から入力内容を検出し、制御手段はこの入力内容に応じた制御を行う。
【００１１】
ここでこのタッチパネルを掃除するような場合は、操作無効情報表示部に位置するタッチパネルからの入力を無効入力検出部が検出し、この無効入力検出されたときからタイマーが所定時間をカウントして、タイマーがカウント中は入力検出手段の入力検出を無効とする。従ってタッチパネル以外に別にスイッチ等の機構を設けることなく、電源を遮断せずにタッチパネルを掃除しても誤動作を起こすことがない。
【００１２】
また、上記発明に加えて、表示制御手段は、タイマーによる所定時間カウント中は、タッチパネル上による入力が無効であるメッセージを表示することを特徴とするものであり、上記構成によって、使用者はタッチパネルによる入力が有効な状態か無効な状態かを知ることができ、使い勝手が向上する。
【００１３】
さらに、表示制御手段は、タイマーによる所定時間カウント中は、経過時間、または経過時間のイメージ情報を表示することを特徴とするものであり、上記構成によって、使用者はタッチパネルによる入力が無効な残り時間を確認することができ、使い勝手が向上する。
【００１４】
さらにまた、表示手段はバックライト装置を備え、前記バックライト装置に供給する電流をオフする電源切替え手段を有し、タイマーによる所定時間カウント中は、タッチパネルの入力を無効とし、バックライトの電源をオフすることを特徴とするものであり、上記構成によって、タッチパネルを掃除する際に、バックライトの電源を遮断し、画面を暗くすることにより、画面上の指紋などの汚れが目立ちやすくなるので、利用者の掃除の作業性を向上させることができる。
【００１５】
そしてまた、設定情報を記憶する記憶手段を有し、前記記憶手段は、入力検出を無効とする所定時間カウント値を記憶しており、利用者が、予め設定されている前記所定時間カウント値を設定変更可能であることを特徴とするものであり、上記構成、動作によると、指紋などの汚れはなかなか落ちにくく、どこまできれいにするか、利用者の好みに分かれるところであるが、利用者の好みや、汚れの程度に合わせて、利用者が入力検出を無効とする時間の設定を変更できるようにすることで、利用者の性格、好みに合わせることが可能な機器を提供することができる。
【００１６】
さらに、前述の情報端末機器を給湯器遠隔操作装置にすれば、通常、台所に設置されることが多い給湯機リモコンは、設置環境上、油のついた手などで操作されることが多く非常に汚れやすいが、画面を掃除する際、画面を黒色系の色にしたり、バックライトの電源を切り画面を暗くしたりして台所に設置されるような機器の場合でも、画面の汚れが分かりやすく、利用者の掃除の作業性を向上させることができる。
【００１７】
【実施例】
以下、本発明の実施例について図面を参照しながら説明する。
【００１８】
（実施例１）
本発明の実施例１について、図１から図５を用いて説明する。まず、実施例１の構成について、図１を用いて説明する。図１は、本発明の実施例１における情報端末機器のブロック図を示すものである。１は情報端末機器の本体、２は情報端末機器１が備えているアプリエーションの画面や、情報端末機器１の制御状態、制御入力値、設定値、利用者へ提供する各種情報などを表示するための表示手段であり、例えば液晶表示器などである。３は表示手段２の上に設けたタッチパネル、４はタッチパネル３から入力された制御情報や、設定情報などを演算処理する情報処理手段、５は情報処理手段の中で、タッチパネル３からの出力情報（利用者の入力情報）の情報処理を行う、入力情報制御手段である。また、６はタッチパネルの入力を無効にする入力を行うための入力位置情報を表示している操作無効情報表示部、７は入力情報制御手段５が操作無効情報表示部６に位置するタッチパネルからの入力を検出したときから所定時間をカウントするタイマー、８は予め設定されたタイマーの設定値や、その他、情報端末機器１が保有している設定値情報を記憶する記憶手段である。
【００１９】
次に、実施例１の動作について、図２から図４を用いて説明する。図２は、情報端末機器１の外観の例を示す図である。図２に示している情報端末機器１の表示手段２に表示している画面は、情報端末機器１の音量設定や、画面の明暗などの基本設定を行う設定画面の例を示している。また情報端末機器１は、アプリケーション画面上に表示しているボタンイメージの位置の対応したタッチパネル３からの入力情報に基づいて、前記入力情報制御手段５により、その位置に対応した制御を行っている。
【００２０】
例えば、図２において、入力情報制御手段５が、「お掃除モード」のボタンイメージが表示されている領域、つまり「お掃除モード」のボタンイメージが表示されている領域に対応した位置のタッチパネル３の領域を利用者が触れると、情報処理手段４は、タッチパネルの入力を無効とするタッチパネルのお掃除モードの画面に切替える。
【００２１】
図３は、表示手段２とタッチパネル３の構成について示す図であり、３１は、タッチパネルの入力部の一部であり、操作無効情報表示部６の位置に対応したタッチパネル上の入力位置である操作無効情報入力部である。
【００２２】
図２に示したような設定画面が表示されているとき、「お掃除モード」というボタンイメージの領域は、図３において、操作無効情報表示部６の機能を果たしており、また、操作無効情報表示部６の位置に対応したタッチパネル３の入力領域は、操作無効情報入力部３１としての機能を果たしている。
【００２３】
画面の掃除をしたい場合、利用者が、図２の「お掃除モード」のボタンイメージの領域に対応した位置のタッチパネルである操作無効情報入力部３１に触れると、入力情報制御手段５は、画面を「お掃除モード」の画面に切替え、タッチパネルの入力を無効とし、同時にタイマー７のカウントを開始する。
【００２４】
タッチパネルの入力を無効とする時間は、予め記憶手段８に保持されている。例えば、３０秒タッチパネルの入力を無効とする設定となっていた場合、タイマー７によって所定時間カウントされ、タイマー７が所定時間のカウントを終了すると元の状態に戻る。即ちタッチパネル３からの全ての入力は有効となり、また表示手段２への表示は情報処理手段４から送られる信号によるものとなる。
【００２５】
タッチパネル３による入力が無効となっているとき、すなわち「お掃除モード」中に、表示手段２に表示する画面の例を図４に示す。利用者が、情報処理端末１の画面を拭き掃除する際、汚れや指紋のあとなどを目立ちやすくするために、画面の全体の色、もしくは背景色は黒色系の暗い色とする。その他の色では、灰色、青色といった色でも汚れや指紋のあとなどが分かりやすいので、その効果は変わらない。
【００２６】
「お掃除モード」中の画面の色は、黒色などの一色を表示手段２の全体に表示する方法でも良いが、利用者にとって、画面が真黒では機器が故障したと勘違いすることも考えられる。そこで、図４に示すように、表示手段２上に、「お掃除モード」というタイトルや、タッチパネルが効かない旨の報知を行う。また、利用者が、所定の時間に対してどの程度時間が経過したかが分かるように、時間の経過とともに画面中に表示している経過時間のイメージ情報として表示している。
【００２７】
図４は、タッチパネル操作無効の時間が経過するごとに、画面中の丸を左から順番に黒く塗りつぶす場合のイメージ図であるが、経過時間をそのまま数値情報として表示してもよい。また、経過時間ではなく、残り時間を表示してもその効果は変わらない。
【００２８】
また、図５はタッチパネルの入力を無効にする時間を設定変更できる画面の例であり、例えば、図２において、「お掃除モードの時間設定」を選択すると、図５に示すような画面を表示する。図５では、１５秒、３０秒、４５秒、６０秒の中から選択する形式になっているが、画面上に上下ボタンなどを準備して、利用者が自由に設定できるようにしても良い。指紋などの汚れはなかなか落ちにくく、どこまできれいにするか、利用者の好みに分かれるところであるが、利用者毎でタッチパネルの入力を無効とする設定時間を変更できるようにすることで、利用者の性格、好みに合わせることが可能な機器となる。
【００２９】
図２において、「お掃除モードの時間設定」ボタンを設けずに、「お掃除モード」を選択し、画面が図４に示すような「お掃除モード」の画面に切替わる前には必ず図５に示すような「お掃除モードの時間設定」を表示させるようにしても、その都度の汚れなどに合わせて利用者が選択できるので、掃除の途中で「お掃除モード」が終了してしまうという可能性を軽減できるので、さらに利用者の使い勝手が良くなる。
【００３０】
このように、前記情報端末機器１の画面（タッチパネル）の掃除をする際、所定の時間タッチパネルの入力を無効とすることで、掃除中の機器の誤入力を防止することができると同時に、そのとき、前記表示手段２の表示色を黒色系の色とすることで、画面の汚れや指紋のあとなどが、利用者にはっきりと分かるので、画面の掃除をする際の作業性を向上させることができる。
【００３１】
また、タッチパネルの入力が無効の状態となっているとき（「お掃除モード」中）は、利用者に、経過時間やタッチパネルの操作が効かない旨の報知を行うことで、利用者が安心して作業が行えるような機器とすることができる。
【００３２】
なお、本実施例は情報端末機器１単体で説明したが、情報端末機器１に限らずタッチパネルを備える全ての電気機器について本発明は有効である。特に、給湯器遠隔操作装置やインターフォンなどは台所に設置されることが多く、このような機器の場合は、油の付着した指などで操作される状況が多いので、タッチパネルの入力を無効とし、画面を黒色系の色にして汚れを目立たせることは、画面の掃除をする際の作業性を向上させるためには特に効果的である。
【００３３】
（実施例２）
実施例２は、実施例１に加えて、利用者がタッチパネルの掃除をする際、タッチパネルの入力を無効とすると共に、バックライトの電源をオフし画面を暗くする場合についての実施例であり、その他の構成、動作は実施例１と同じであるので以下の説明では実施例１との相違点を中心に述べる。
【００３４】
まず、実施例２の構成について、図６を用いて説明する。６１は情報端末機器１に備えられ、表示手段２である液晶表示器などを照らし、表示手段の表示を見やすくするためのバックライトである。６２はバックライト６１への電源のオン／オフの切替えを行う、電源切替え手段である。画面の掃除をしたい場合、利用者が、図２の「お掃除モード」のボタンイメージの領域に対応した位置のタッチパネルである操作無効情報入力部３１に触れると、入力情報制御手段５は、タッチパネルの入力を無効とし、同時にタイマー７のカウントを開始する。
【００３５】
そして、タイマー７が所定時間のカウントを終了すると元の状態に戻る。即ちタッチパネル３からの全ての入力は有効となり、また表示手段２への表示は情報処理手段４から送られる信号によるものとなる。このとき、本発明の実施例２では、タッチパネル３による入力が無効となっているとき、すなわち「お掃除モード」中はバックライトの電源をオフとし、画面を暗くする。
【００３６】
利用者が、図２の「お掃除モード」のボタンイメージの領域に対応した位置のタッチパネルである操作無効情報入力部３１に触れると、前記入力情報制御手段５は、タッチパネルの入力を無効とするとともに、バックライト６１への電源供給を切替える電源供給切替え手段６１を、バックライトへの電源供給を遮断するような制御を行い、バックライトをオフし、画面を暗くする。画面を暗くすることで、前記情報処理端末１の画面を拭き掃除する際、汚れや指紋のあとなどを目立ちやすくすることができる。
【００３７】
このように、情報端末機器１の画面（タッチパネル）の掃除をする際、所定の時間タッチパネルの入力を無効とすることで、掃除中の機器の誤入力を防止することができると同時に、そのとき、バックライト６１をオフし、画面を暗くすることで、実施例１で示したような画面を黒色系の色としたときと同様に、画面の汚れや指紋のあとなどが、利用者にはっきりと分かるので、画面の掃除をする際の作業性を向上させることができる。
【００３８】
【発明の効果】
以上のように、本発明によれば、情報端末機器１の画面（タッチパネル）の掃除をする際、所定の時間タッチパネルの入力を無効とし、そのとき、表示手段の画面の背景色を黒色系の色とすることで、画面の汚れや指紋のあとなどが、利用者にはっきりと分かるので、画面の掃除をする際の作業性を向上させることができる。
【図面の簡単な説明】
【図１】本発明の実施例１における情報端末機器の構成図
【図２】同機器の外観の例を示した図
【図３】同機器の表示手段とタッチパネルの構成を示した図
【図４】同機器のお掃除モード（タッチパネル無効モード）の時に表示する画面の例を示した図
【図５】同機器のタッチパネルの入力を無効にする時間設定画面の例を示した図
【図６】本発明の実施例２における情報端末機器の構成図
【符号の説明】
１  情報端末機器
２  表示手段
３  タッチパネル
４  情報処理手段
５  入力情報制御手段
６  操作無効情報表示部
７  タイマー
８  記憶手段
【図１】
2004355078.tif 000003
【図２】
2004355078.tif 000004
【図３】
2004355078.tif 000005
【図４】
2004355078.tif 000006
【図５】
2004355078.tif 000007
【図６】
2004355078.tif 000008